(57)【特許請求の範囲】
【請求項１】
絶縁体層を介在させて複数の内部電極が積層された積層体と、前記積層体の側面に配置され且つ互いに絶縁された複数の外部電極とを備えた積層コンデンサであって、
前記積層体は前記内部電極として、第１の内部電極と、前記第１の内部電極から積層方向に間隔をあけて配された第２の内部電極と、前記第１の内部電極と前記第２の内部電極との間に配された第３及び第４の内部電極とを有し、前記第１及び第２の内部電極は前記内部電極の中で最も外側に位置しており、
前記積層体は前記側面として、前記積層方向に沿って伸び且つ互いに対向する第１及び第２の側面と、前記積層方向に沿って伸びると共に前記第１及び第２の側面と交差する方向に沿って伸び、且つ互いに対向する第３及び第４の側面とを有し、
前記積層体は前記外部電極として、第１及び第２の端子電極と、第１及び第２の連結用電極とを有し、
前記第１の端子電極は前記第１の側面に配置され、前記第２の端子電極は前記第２の側面に配置され、前記第１の連結用電極は前記第３の側面に配置され、前記第２の連結用電極は前記第４の側面に配置され、
前記第１の内部電極は、前記第１の側面から一端部が露出するように第１の幅をもって伸びると共に前記第１の端子電極と接続される第１の引き出し部と、当該第１の引き出し部に接続され、前記第３の側面から第２の幅をもって伸びる一端部を有すると共に前記第１の連結用電極と接続される第２の引き出し部とを含み、
前記第２の内部電極は、前記第２の側面から一端部が露出するように第３の幅をもって伸びると共に前記第２の端子電極と接続される第３の引き出し部と、当該第３の引き出し部に接続され、前記第４の側面から第４の幅をもって伸びる一端部を有すると共に前記第２の連結用電極と接続される第４の引き出し部とを含み、
前記第３の内部電極は、主電極部と、当該主電極部のうち前記第３の側面側に位置する縁部に接続され、前記第３の側面から一端部が露出するように第５の幅をもって伸びると共に前記第１の連結用電極と接続される第５の引き出し部とを含み、
前記第４の内部電極は、主電極部と、当該主電極部のうち前記第４の側面側に位置する縁部に接続され、前記第４の側面から一端部が露出するように第６の幅をもって伸びると共に前記第２の連結用電極と接続される第６の引き出し部とを含み、
前記第３及び第４の内部電極の前記主電極部は、前記積層方向から見たときに互いに重なり合う容量形成領域をそれぞれ含み、
前記第３の内部電極における前記主電極部と前記第５の引き出し部との接続部分は、前記第３及び第４の側面の対向方向から見たときに、前記容量形成領域のうち前記第１の側面側の端部と前記第２の側面側の端部との間に位置し、
前記第４の内部電極における前記主電極部と前記第６の引き出し部との接続部分は、前記第３及び第４の側面の対向方向から見たときに、前記容量形成領域のうち前記第１の側面側の端部と前記第２の側面側の端部との間に位置し、
前記積層方向において、前記第１の内部電極は前記絶縁体層を介在した状態で前記第４の内部電極と隣り合い、前記第２の内部電極は前記絶縁体層を介在した状態で前記第３の内部電極と隣り合い、
前記第２の引き出し部の他端部の幅は前記第２の幅よりも大きく、当該他端部は、前記第１の引き出し部の他端部と接続されると共に、前記第４の内部電極の前記主電極部と積層方向において対向し、
前記第４の引き出し部の他端部の幅は前記第４の幅よりも大きく、当該他端部は、前記第３の引き出し部の他端部と接続されると共に、前記第３の内部電極の前記主電極部と積層方向において対向し、
前記第１〜第４の幅は、それぞれ前記第５及び第６の幅以下であり、
前記第１の引き出し部の前記第１の幅は全体にわたって前記第２の幅よりも小さく、かつ前記第３の引き出し部の前記第３の幅は全体にわたって前記第４の幅よりも小さく、
前記積層体は第１の主面及び第２の主面を有し、
前記第１の側面及び前記第２の側面は、前記第１の主面及び前記第２の主面の短辺方向に伸びており、
前記第３の側面及び前記第４の側面は、前記第１の主面及び前記第２の主面の長辺方向に伸びており、
前記第１の引き出し部は、前記積層方向から見ると、前記積層体の中心部から前記第１の側面に向かい、かつ前記第１の主面及び前記第２の主面の前記長辺方向に沿って伸びており、
前記第２の引き出し部は、前記積層方向から見ると、前記積層体の前記中心部から前記第３の側面に向かい、かつ前記第１の主面及び前記第２の主面の前記短辺方向に沿って伸びており、
前記第３の引き出し部は、前記積層方向から見ると、前記積層体の中心部から前記第２の側面に向かい、かつ前記第１の主面及び前記第２の主面の前記長辺方向に沿って伸びており、
前記第４の引き出し部は、前記積層方向から見ると、前記積層体の前記中心部から前記第４の側面に向かい、かつ前記第１の主面及び前記第２の主面の前記短辺方向に沿って伸びており、
前記第１の引き出し部の長さは前記第２の引き出し部の前記一端部の長さよりも長く、かつ前記第３の引き出し部の長さは前記第４の引き出し部の前記一端部の長さよりも長いことを特徴とする積層コンデンサ。
【請求項２】
前記積層方向において、前記第１の内部電極と、前記絶縁体層を介在した状態で当該第１の内部電極に隣り合う前記第３又は第４の内部電極と、の間の距離は、前記第３の内部電極と、前記絶縁体層を介在した状態で当該第３の内部電極に隣り合う前記第４の内部電極と、の間の距離よりも長く、
前記積層方向において、前記第２の内部電極と、前記絶縁体層を介在した状態で当該第２の内部電極に隣り合う前記第３又は第４の内部電極と、の間の距離は、前記第３の内部電極と、前記絶縁体層を介在した状態で当該第３の内部電極に隣り合う前記第４の内部電極と、の間の距離よりも長いことを特徴とする請求項１記載の積層コンデンサ。
【請求項３】
前記積層体は前記第１及び第２の内部電極を１つずつ有していることを特徴とする請求項１又は２記載の積層コンデンサ。
【請求項４】
絶縁体層を介在させて複数の内部電極が積層された積層体と、前記積層体の側面に配置され且つ互いに絶縁された複数の外部電極とを備えた積層コンデンサであって、
前記積層体は前記内部電極として、第１、第２、第３、及び第４の内部電極を有し、
前記積層体は前記側面として、前記積層方向に沿って伸び且つ互いに対向する第１及び第２の側面と、前記積層方向に沿って伸びると共に前記第１及び第２の側面と交差する方向に沿って伸び、且つ互いに対向する第３及び第４の側面と、を有し、
前記積層体は前記外部電極として、第１及び第２の端子電極と、第１及び第２の連結用電極とを有し、
前記第１の端子電極は前記第１の側面に配置され、前記第２の端子電極は前記第２の側面に配置され、前記第１の連結用電極は前記第３の側面に配置され、前記第２の連結用電極は前記第４の側面に配置され、
前記第１の内部電極は、前記第１の側面から一端部が露出するように第１の幅をもって伸びると共に前記第１の端子電極と接続される第１の引き出し部と、当該引き出し部に接続され、前記第３の側面から第２の幅をもって伸びる一端部を有すると共に前記第１の連結用電極と接続される第２の引き出し部とを含み、
前記第２の内部電極は、前記第２の側面から一端部が露出するように第３の幅をもって伸びると共に前記第２の端子電極と接続される第３の引き出し部と、当該引き出し部に接続され、前記第４の側面から第４の幅をもって伸びる一端部を有すると共に前記第２の連結用電極と接続される第４の引き出し部とを含み、
前記第３の内部電極は、主電極部と、当該主電極部のうち前記第３の側面側に位置する縁部に接続され、前記第３の側面から一端部が露出するように第５の幅をもって伸びると共に前記第１の連結用電極と接続される第５の引き出し部とを含み、
前記第４の内部電極は、主電極部と、当該主電極部のうち前記第４の側面側に位置する縁部に接続され、前記第４の側面から一端部が露出するように第６の幅をもって伸びると共に前記第２の連結用電極と接続される第６の引き出し部とを含み、
前記第３及び第４の内部電極の前記主電極部は、前記積層方向から見たときに互いに重なり合う容量形成領域をそれぞれ含み、
前記第３の内部電極における前記主電極部と前記第５の引き出し部との接続部分は、前記第３及び第４の側面の対向方向から見たときに、前記容量形成領域のうち前記第１の側面側の端部と前記第２の側面側の端部との間に位置し、
前記第４の内部電極における前記主電極部と前記第６の引き出し部との接続部分は、前記第３及び第４の側面の対向方向から見たときに、前記容量形成領域のうち前記第１の側面側の端部と前記第２の側面側の端部との間に位置し、
前記積層方向において、前記第１の内部電極は前記絶縁体層を介在した状態で前記第４の内部電極と隣り合い、前記第２の内部電極は前記絶縁体層を介在した状態で前記第３の内部電極と隣り合い、
前記第２の引き出し部の他端部の幅は前記第２の幅よりも大きく、当該他端部は、前記第１の引き出し部の他端部と接続されると共に、前記第４の内部電極の前記主電極部と積層方向において対向し、
前記第４の引き出し部の他端部の幅は前記第４の幅よりも大きく、当該他端部は、前記第３の引き出し部の他端部と接続されると共に、前記第３の内部電極の前記主電極部と積層方向において対向し、
前記第１〜第４の幅は、それぞれ前記第５及び第６の幅以下であり、
前記第１の引き出し部の前記第１の幅は全体にわたって前記第２の幅よりも小さく、かつ前記第３の引き出し部の前記第３の幅は全体にわたって前記第４の幅よりも小さく、
前記積層体は第１の主面及び第２の主面を有し、
前記第１の側面及び前記第２の側面は、前記第１の主面及び前記第２の主面の短辺方向に伸びており、
前記第３の側面及び前記第４の側面は、前記第１の主面及び前記第２の主面の長辺方向に伸びており、
前記第１の引き出し部は、前記積層方向から見ると、前記積層体の内側から前記第１の側面に向かい、かつ前記第１の主面及び前記第２の主面の前記長辺方向に沿って伸びており、
前記第２の引き出し部は、前記積層方向から見ると、前記積層体の前記内側から前記第３の側面に向かい、かつ前記第１の主面及び前記第２の主面の前記短辺方向に沿って伸びており、
前記第３の引き出し部は、前記積層方向から見ると、前記積層体の内側から前記第２の側面に向かい、かつ前記第１の主面及び前記第２の主面の前記長辺方向に沿って伸びており、
前記第４の引き出し部は、前記積層方向から見ると、前記積層体の前記内側から前記第４の側面に向かい、かつ前記第１の主面及び前記第２の主面の前記短辺方向に沿って伸びており、
前記第１の引き出し部の長さは前記第２の引き出し部の前記一端部の長さよりも長く、かつ前記第３の引き出し部の長さは前記第４の引き出し部の前記一端部の長さよりも長く、
前記積層方向から見たときに、前記第１の引き出し部の前記一端部は、前記第１の側面において前記第３の側面寄りの位置又は前記第４の側面寄りの位置から露出し、前記第３の引き出し部の前記一端部は、前記第２の側面において前記第３の側面寄りの位置又は前記第４の側面寄りの位置から露出することを特徴とする積層コンデンサ。
【請求項５】
前記積層方向において、前記第１の内部電極と、前記絶縁体層を介在した状態で当該第１の内部電極に隣り合う前記第３又は第４の内部電極と、の間の距離は、前記第３の内部電極と、前記絶縁体層を介在した状態で当該第３の内部電極に隣り合う前記第４の内部電極と、の間の距離よりも長く、
前記積層方向において、前記第２の内部電極と、前記絶縁体層を介在した状態で当該第２の内部電極に隣り合う前記第３又は第４の内部電極と、の間の距離は、前記第３の内部電極と、前記絶縁体層を介在した状態で当該第３の内部電極に隣り合う前記第４の内部電極と、の間の距離よりも長いことを特徴とする請求項４記載の積層コンデンサ。
【請求項６】
前記積層体は前記第１及び第２の内部電極を１つずつ有していることを特徴とする請求項4又は５記載の積層コンデンサ。
【請求項７】
前記第１の引き出し部の前記一端部は、前記積層方向から見たときに、前記第１の側面において前記第４の側面寄りの位置から露出し、
前記第３の引き出し部の前記一端部は、前記積層方向から見たときに、前記第２の側面において前記第３の側面寄りの位置から露出することを特徴とする請求項４〜６のいずれか一項に記載の積層コンデンサ。
【請求項８】
前記第１の内部電極は、第７の幅を有する一端部が前記第１の側面から露出するように伸びて前記第１の端子電極と接続される第７の引き出し部を更に含み、
前記第２の内部電極は、第８の幅を有する一端部が前記第２の側面から露出するように伸びて前記第２の端子電極と接続される第８の引き出し部を更に含み、
前記第７の引き出し部の他端部は前記第２の前記引き出し部に接続され、
前記第８の引き出し部の他端部は前記第４の前記引き出し部に接続され、
前記第７及び第８の幅はそれぞれ、前記第５及び第６の幅以下であることを特徴とする請求項４〜７のいずれか一項に記載の積層コンデンサ。
【発明の詳細な説明】
【技術分野】
【０００１】
本発明は、積層コンデンサに関する。
【背景技術】
【０００２】
従来、絶縁体層を介在させて複数の内部電極を交互に積層させた積層体と、積層体の側面に設けられ且つ互いに絶縁された複数の端子電極と、積層体の側面に設けられ且つ互いに絶縁された複数の連結用電極とを備えた積層コンデンサが知られている。
【０００３】
この種の積層コンデンサとして、例えば特許文献１記載のものがある。特許文献１記載の積層コンデンサでは、積層体は４種の内部電極を有している。そのうち２種の内部電極は、静電容量を形成する主電極部と、当該主電極部に接続され、積層体の側面に一端部が露出するように伸びて連結用電極に接続される突出部とを含んでいる。他の２種の内部電極は、積層体の側面に一端部が露出するように伸びて端子電極に接続される引出部と、この引出部に接続され、積層体の側面に一端部が露出するように伸びて連結用電極に接続される突出部とを含んでいる。後者の２種の内部電極では、端子電極に接続される引出部は幅広となっており、引出部と端子電極とを確実に接触させることが可能となっている。
【特許文献１】特開２００３−１６８６２１号公報
【発明の開示】
【発明が解決しようとする課題】
【０００４】
積層コンデンサは、デカップリングコンデンサとして用いられることがある。積層コンデンサをデカップリングコンデンサとして用いる場合には、ＥＳＲを大きくしＥＳＬを小さくすることが求められている。
【０００５】
特許文献１記載の積層コンデンサでは、前者の２種の内部電極の主電極同士で、逆向きの電流が流れるため、電流に起因して発生する磁界が相殺される。その結果、積層コンデンサのＥＳＬを小さくすることが可能となる。
【０００６】
しかしながら、特許文献１記載の積層コンデンサでは、後者の２種の内部電極が幅広な引出部を有しているため、ＥＳＲが小さい。よって、特許文献１記載の積層コンデンサでは、引出部と端子電極との良好な接触性を確保した上で、ＥＳＲを向上させるという点で改善の余地がある。
【０００７】
そこで、本発明は、内部電極と端子電極との良好な接触性を確保した上で、ＥＳＬの増加を抑えつつ、ＥＳＲを向上させることが可能な積層コンデンサを提供することを課題とする。
【課題を解決するための手段】
【０００８】
本発明は、絶縁体層を介在させて複数の内部電極が積層された積層体と、積層体の側面に配置され且つ互いに絶縁された複数の外部電極とを備えた積層コンデンサであって、積層体は内部電極として、第１の内部電極と、第１の内部電極から積層方向に間隔をあけて配された第２の内部電極と、第１の内部電極と第２の内部電極との間に配された第３及び第４の内部電極とを有し、第１及び第２の内部電極は内部電極の中で最も外側に位置しており、積層体は側面として、積層方向に沿って伸び且つ互いに対向する第１及び第２の側面と、積層方向に沿って伸びると共に第１及び第２の側面と交差する方向に沿って伸び、且つ互いに対向する第３及び第４の側面とを有し、積層体は外部電極として、第１及び第２の端子電極と、第１及び第２の連結用電極とを有し、第１の端子電極は第１の側面に配置され、第２の端子電極は第２の側面に配置され、第１の連結用電極は第３の側面に配置され、第２の連結用電極は第４の側面に配置され、第１の内部電極は、第１の側面から第１の幅を有する一端部が露出するように伸びて第１の端子電極と接続される第１の引き出し部と、当該第１の引き出し部に接続され、第３の側面から第２の幅を有する一端部が露出するように伸びて第１の連結用電極と接続される第２の引き出し部とを含み、第２の内部電極は、第２の側面から第３の幅を有する一端部が露出するように伸びて第２の端子電極と接続される第３の引き出し部と、当該第３の引き出し部に接続され、第４の側面から第４の幅を有する一端部が露出するように伸びて第２の連結用電極と接続される第４の引き出し部とを含み、第３の内部電極は、主電極部と、当該主電極部のうち第３の側面側に位置する縁部に接続され、第３の側面から第５の幅を有する一端部が露出するように伸びて第１の連結用電極と接続される第５の引き出し部とを含み、第４の内部電極は、主電極部と、当該主電極部のうち第４の側面側に位置する縁部に接続され、第４の側面から第６の幅を有する一端部が露出するように伸びて第２の連結用電極と接続される第６の引き出し部とを含み、第３及び第４の内部電極の主電極部は、積層方向から見たときに互いに重なり合う容量形成領域をそれぞれ含み、第３の内部電極における主電極部と第５の引き出し部との接続部分は、第３及び第４の側面の対向方向から見たときに、容量形成領域のうち第１の側面側の端部と第２の側面側の端部との間に位置し、第４の内部電極における主電極部と第６の引き出し部との接続部分は、第３及び第４の側面の対向方向から見たときに、容量形成領域のうち第１の側面側の端部と第２の側面側の端部との間に位置し、第１〜第４の幅はそれぞれ、第５及び第６の幅以下であることを特徴とする。
【０００９】
本発明に係る積層コンデンサでは、第１及び第２の内部電極は、２つの引き出し部をそれぞれ有する。これら引き出し部の一端部の幅は、第３及び第４の内部電極が有する引き出し部の一端部の幅以下となっている。したがって、電流経路上において該経路の幅が絞られる箇所が形成されることとなり、ＥＳＲが増加する。
【００１０】
また、第３及び第４の内部電極は、積層方向から見たときに互いに重なり合う容量形成領域をそれぞれ含んでいる。第３及び第４の内部電極のいずれにおいても、主電極と引き出し部との接続部分は、第３及び第４の側面の対向方向から見たときに、容量形成領域の一端部と他端部との間に位置している。また、第３の内部電極の引き出し部は第３の側面側に位置し、第４の内部電極の引き出し部は第４の側面側に位置している。つまり第３の内部電極の引き出し部と第４の内部電極の引き出し部とは、積層方向から見ると、容量形成領域の中間部付近で互いにほぼ対向した状態となっている。引き出し部同士がこのような位置関係にあるため、第３の内部電極の容量形成領域と第４の内部電極の容量形成領域とでは、その両端部に流れる電流の向きが互いに逆となる。その結果、第３の内部電極と第４の内部電極とにおいて、電流に起因して発生する磁界が一部相殺されるため、積層コンデンサのＥＳＬを低くすることができる。
【００１１】
更に、本発明に係る積層コンデンサでは、第１及び第２の内部電極は、内部電極の中で最も外側に位置している。通常積層体に対して、外部電極を形成する前にバレル研磨を行うが、バレル研磨によって大きく削られるのは積層体の稜線部である。本発明に係る積層コンデンサでは、第１及び第２の内部電極を内部電極のうち最も外側に配することで、これら内部電極の引き出し部の位置を稜線に近づけている。稜線近くにある引き出し部は、バレル研磨の影響を強く受けるので、確実に露出することとなる。したがって本発明に係る積層コンデンサによれば、第１及び第２の内部電極の引き出し部が比較的幅狭であるにもかかわらず、これらを確実に露出させることができる。そのため、第１及び第２の内部電極と積層体の側面に配された外部電極とを、良好に接触させることが可能となる。
【００１２】
好ましくは、第１の幅は第２の幅よりも狭く、第３の幅は第４の幅よりも狭い。
【００１３】
この場合、端子電極につながる引き出し部がより幅狭になるため、ＥＳＲをいっそう向上させることができる。
【００１４】
好ましくは、積層方向において、第１の内部電極と、絶縁体層を介在した状態で当該第１の内部電極に隣り合う第３又は第４の内部電極と、の間の距離は、第３の内部電極と、絶縁体層を介在した状態で当該第３の内部電極に隣り合う第４の内部電極と、の間の距離よりも長く、積層方向において、第２の内部電極と、絶縁体層を介在した状態で当該第２の内部電極に隣り合う第３又は第４の内部電極と、の間の距離は、第３の内部電極と、絶縁体層を介在した状態で当該第３の内部電極に隣り合う第４の内部電極と、の間の距離よりも長い。
【００１５】
この場合、第１の内部電極と第３及び第４の内部電極との距離、及び第２の内部電極と第３及び第４の内部電極との距離が広がることになる。よって第１及び第２の内部電極は積層体において更に外側に位置することになり、これら内部電極の引き出し部は積層体の稜線に更に近づくことになる。したがって、バレル研磨による引き出し部の露出をより確実に行えるため、第１及び第２の内部電極と外部電極とをいっそう良好に接触させることができる。
【００１６】
また、第１及び第２の内部電極の引き出し部が幅狭であると、抵抗値が大きくなるため、リップルによる発熱が懸念される。本発明に係る積層コンデンサでは、第１の内部電極と第３及び第４の内部電極との間、第２の内部電極と第３及び第４の内部電極との間にギャップを設けることで、第１及び第２の内部電極の放熱性を高めている。これにより、内部電極の発熱により積層コンデンサが高温状態となることを防止できる。
【００１７】
好ましくは、積層体は第１及び第２の内部電極を１つずつ有している。
【００１８】
この場合、第１の端子電極につながる内部電極及び第２の端子電極につながる内部電極が１つずつしか存在しないので、ＥＳＲをさらに高めることができる。
【００１９】
好ましくは、積層方向において、第１の内部電極は絶縁体層を介在した状態で第４の内部電極と隣り合い、第２の内部電極は絶縁体層を介在した状態で第３の内部電極と隣り合う。
【００２０】
この場合、第１の端子電極につながる第１の内部電極と、第２の端子電極につながる第４の内部電極とを隣り合わせるので、少なくとも一部の領域で電流の向きが互いに逆となる。その結果、第１の内部電極と第４の内部電極との間で、電流に起因して発生する磁界が一部相殺される。第２の端子電極につながる第２の内部電極と、第１の端子電極につながる第３の内部電極とを隣り合わせるので、第２の内部電極と第３の内部電極との間で、電流に起因して発生する磁界が一部相殺される。このように、第１の内部電極と第４の内部電極との間、及び第２の内部電極と第３の内部電極との間で磁界の相殺が発生するため、積層コンデンサのＥＳＬをより低くすることができる。
【００２１】
好ましくは、第２の引き出し部の他端部の幅は第２の幅よりも大きく、当該他端部は、第１の引き出し部の他端部と接続されると共に、第４の内部電極の主電極部と積層方向において対向し、第４の引き出し部の他端部の幅は第４の幅よりも大きく、当該他端部は、第３の引き出し部の他端部と接続されると共に、第３の内部電極の主電極部と積層方向において対向する。
【００２２】
この場合、第１の内部電極が有する引き出し部の他端部と第４の内部電極の主電極部とで静電容量を形成し、第２の内部電極が有する引き出し部の他端部と第３の内部電極の主電極部とで静電容量を形成することが可能となる。よって、積層コンデンサの静電容量値を増やすことができる。
【００２３】
本発明は、絶縁体層を介在させて複数の内部電極が積層された積層体と、積層体の側面に配置され且つ互いに絶縁された複数の外部電極とを備えた積層コンデンサであって、積層体は内部電極として、第１、第２、第３、及び第４の内部電極を有し、積層体は側面として、積層方向に沿って伸び且つ互いに対向する第１及び第２の側面と、積層方向に沿って伸びると共に第１及び第２の側面と交差する方向に沿って伸び、且つ互いに対向する第３及び第４の側面と、を有し、積層体は外部電極として、第１及び第２の端子電極と、第１及び第２の連結用電極とを有し、第１の端子電極は第１の側面に配置され、第２の端子電極は第２の側面に配置され、第１の連結用電極は第３の側面に配置され、第２の連結用電極は第４の側面に配置され、第１の内部電極は、第１の側面から第１の幅を有する一端部が露出するように伸びて第１の端子電極と接続される第１の引き出し部と、当該引き出し部に接続され、第３の側面から第２の幅を有する一端部が露出するように伸びて第１の連結用電極と接続される第２の引き出し部とを含み、第２の内部電極は、第２の側面から第３の幅を有する一端部が露出するように伸びて第２の端子電極と接続される第３の引き出し部と、当該引き出し部に接続され、第４の側面から第４の幅を有する一端部が露出するように伸びて第２の連結用電極と接続される第４の引き出し部とを含み、第３の内部電極は、主電極部と、当該主電極部のうち第３の側面側に位置する縁部に接続され、第３の側面から第５の幅を有する一端部が露出するように伸びて第１の連結用電極と接続される第５の引き出し部とを含み、第４の内部電極は、主電極部と、当該主電極部のうち第４の側面側に位置する縁部に接続され、第４の側面から第６の幅を有する一端部が露出するように伸びて第２の連結用電極と接続される第６の引き出し部とを含み、第３及び第４の内部電極の主電極部は、積層方向から見たときに互いに重なり合う容量形成領域をそれぞれ含み、第３の内部電極における主電極部と第５の引き出し部との接続部分は、第３及び第４の側面の対向方向から見たときに、容量形成領域のうち第１の側面側の端部と第２の側面側の端部との間に位置し、第４の内部電極における主電極部と第６の引き出し部との接続部分は、第３及び第４の側面の対向方向から見たときに、容量形成領域のうち第１の側面側の端部と第２の側面側の端部との間に位置し、第１〜第４の幅はそれぞれ、第５及び第６の幅以下であり、積層方向から見たときに、第１の引き出し部の一端部は、第１の側面において第３の側面寄りの位置又は第４の側面寄りの位置から露出し、第３の引き出し部の一端部は、第２の側面において第３の側面寄りの位置又は第４の側面寄りの位置から露出することを特徴とする。
【００２４】
本発明に係る積層コンデンサでは、第１及び第２の内部電極は、２つの引き出し部をそれぞれ有する。これら引き出し部の一端部の幅は、第３及び第４の内部電極が有する引き出し部の一端部の幅以下となっている。したがって、電流経路上において該経路の幅が絞られる箇所が形成されることとなり、ＥＳＲが増加する。
【００２５】
また、第３及び第４の内部電極の主電極部は、積層方向から見たときに互いに重なり合う容量形成領域をそれぞれ含んでいる。第３及び第４の内部電極のいずれにおいても、主電極部と引き出し部との接続部分は、第３及び第４の側面の対向方向から見たときに、容量形成領域の一端部と他端部との間に位置している。また、第３の内部電極の引き出し部は第３の側面側に位置し、第４の内部電極の引き出し部は第４の側面側に位置している。つまり第３の内部電極の引き出し部と第４の内部電極の引き出し部とは、積層方向から見ると、容量形成領域の中間部で互いに対向した状態となっている。引き出し部同士がこのような位置関係にあるため、第３の内部電極の容量形成領域と第４の内部電極の容量形成領域とでは、その両端部に流れる電流の向きが互いに逆となる。その結果、第３の内部電極と第４の内部電極とにおいて、電流に起因して発生する磁界が一部相殺されるため、積層コンデンサのＥＳＬを低くすることができる。
【００２６】
更に第１の内部電極では、引き出し部の一端部が、第１の側面において第３の側面寄りの位置又は第４の側面寄りの位置から露出している。したがってこの引き出し部の一端部は、第１の側面と、第３又は第４の側面とで形成される積層体の稜線近くに位置することとなる。第２の内部電極では、引き出し部の一端部が、第２の側面において第３の側面寄りの位置又は第４の側面寄りの位置から露出している。したがってこの引き出し部の一端部は、第２の側面と、第３又は第４の側面とで形成される積層体の稜線近くに位置することとなる。稜線近くにある引き出し部は、積層体をバレル研磨した際に、確実に露出する。したがって本発明に係る積層コンデンサによれば、第１及び第２の内部電極の引き出し部が比較的幅狭であるにもかかわらず、これらを確実に露出させることができる。そのため、第１及び第２の内部電極と積層体の側面に配された外部電極とを、良好に接触させることが可能となる。
【００２７】
好ましくは、第１の幅は第２の幅よりも狭く、第３の幅は第４の幅よりも狭い。
【００２８】
この場合、端子電極につながる引き出し部がより幅狭になるため、ＥＳＲをいっそう向上させることができる。
【００２９】
好ましくは、積層方向において、第１の内部電極と、絶縁体層を介在した状態で当該第１の内部電極に隣り合う第３又は第４の内部電極と、の間の距離は、第３の内部電極と、絶縁体層を介在した状態で当該第３の内部電極に隣り合う第４の内部電極と、の間の距離よりも長く、積層方向において、第２の内部電極と、絶縁体層を介在した状態で当該第２の内部電極に隣り合う第３又は第４の内部電極と、の間の距離は、第３の内部電極と、絶縁体層を介在した状態で当該第３の内部電極に隣り合う第４の内部電極と、の間の距離よりも長い。
【００３０】
この場合、第１の内部電極と第３及び第４の内部電極との距離、及び第２の内部電極と第３及び第４の内部電極との距離が広がるため、第１及び第２の内部電極は積層体において更に外側に位置することになる。その結果、第１及び第２の内部電極の引き出し部は積層体の稜線に更に近づくことになる。したがって、バレル研磨による引き出し部の露出をより確実に行えるため、第１及び第２の内部電極と外部電極とを、いっそう良好に接触させることができる。また、第１の内部電極と第３及び第４の内部電極との間、第２の内部電極と第３及び第４の内部電極との間にギャップを設けることで放熱性が高められるため、内部電極の発熱により積層コンデンサが高温状態となることを防止できる。
【００３１】
好ましくは、積層体は第１及び第２の内部電極を１つずつ有している。
【００３２】
この場合、第１の端子電極につながる内部電極及び第２の端子電極につながる内部電極が１つずつしか存在しないので、ＥＳＲをさらに高めることができる。
【００３３】
好ましくは、積層方向において、第１の内部電極は絶縁体層を介在した状態で第４の内部電極と隣り合い、第２の内部電極は絶縁体層を介在した状態で第３の内部電極と隣り合う。
【００３４】
この場合、第１の端子電極につながる第１の内部電極と、第２の端子電極につながる第４の内部電極とを隣り合わせるので、少なくとも一部の領域で電流の向きが互いに逆となる。第２の端子電極につながる第２の内部電極と、第１の端子電極につながる第３の内部電極とを隣り合わせるので、少なくとも一部の領域で電流の向きが互いに逆となる。その結果、第１の内部電極と第４の内部電極との間、及び第２の内部電極と第３の内部電極との間で磁界の相殺が発生するため、積層コンデンサのＥＳＬをより低くすることができる。
【００３５】
好ましくは、第２の引き出し部の他端部の幅は第２の幅よりも大きく、当該他端部は、第１の引き出し部の他端部と接続されると共に、第４の内部電極の主電極部と積層方向において対向し、第４の引き出し部の他端部の幅は第４の幅よりも大きく、当該他端部は、第３の引き出し部の他端部と接続されると共に、第３の内部電極の主電極部と積層方向において対向する。
【００３６】
この場合、第１の内部電極が有する引き出し部の他端部と第４の内部電極の主電極部とで静電容量を形成させ、第２の内部電極が有する引き出し部の他端部と第３の内部電極の主電極部とで静電容量を形成させることが可能となる。よって、積層コンデンサの静電容量値を増やすことができる。
【００３７】
好ましくは、第１の引き出し部の一端部は、積層方向から見たときに、第１の側面において第４の側面寄りの位置から露出し、第３の引き出し部の一端部は、積層方向から見たときに、第２の側面において第３の側面寄りの位置から露出する。
【００３８】
この場合、第１の内部電極に含まれる２つの引き出し部の合計長さが、比較的長くなる。第２の内部電極に含まれる２つの引き出し部の合計長さも、比較的長くなる。このように、第１および第２の内部電極の引き出し部をより長くすることにより、積層コンデンサのＥＳＲの増加を図ることができる。
【００３９】
好ましくは、第１の内部電極は、第７の幅を有する一端部が第１の側面から露出するように伸びて第１の端子電極と接続される第７の引き出し部を更に含み、第２の内部電極は、第８の幅を有する一端部が第２の側面から露出するように伸びて第２の端子電極と接続される第８の引き出し部を更に含み、第７の引き出し部の他端部は第２の引き出し部に接続され、第８の引き出し部の他端部は第４の引き出し部に接続され、第７及び第８の幅はそれぞれ、第５及び第６の幅以下である。
【００４０】
この場合、第１の内部電極の２つの引き出し部が第１の端子電極に接続され、第２の内部電極の２つの引き出し部が第２の端子電極に接続される。第１及び第２の内部電極と第１及び第２の端子電極との接続箇所が増えるので、これらの接触性を更に向上させることができる。
【発明の効果】
【００４１】
本発明によれば、内部電極と端子電極との良好な接触性を確保した上で、ＥＳＬの増加を抑えつつ、ＥＳＲを向上させることが可能な積層コンデンサを提供することができる。
【発明を実施するための最良の形態】
【００４２】
以下、添付図面を参照して、本発明の好適な実施形態について詳細に説明する。説明において、同一要素又は同一機能を有する要素には、同一符号を用いることとし、重複する説明は省略する。
（第１実施形態）
【００４３】
図１は、第１実施形態に係る積層コンデンサの斜視図である。図２は、第１実施形態に係る積層コンデンサの断面図である。図３は、第１実施形態に係る積層コンデンサが備える積層体の分解斜視図である。図４（ａ）は、第１実施形態に係る積層コンデンサが備える第１の内部電極を示す図であり、図４（ｂ）は、当該積層コンデンサが備える第２の内部電極を示す図である。図５（ａ）は、第１実施形態に係る積層コンデンサが備える第３の内部電極を示す図であり、図５（ｂ）は、当該積層コンデンサが備える第４の内部電極を示す図である。なお、図３〜５は、積層体にバレル研磨を行う前の状態を示している。
【００４４】
積層コンデンサＣ１は、図１に示されるように、直方体状をした積層体１と、積層体１の外表面に配置された外部電極とを有している。積層体１は、長方形状の第１の主面４及び第２の主面５と、相対向する第１の側面６及び第２の側面７と、相対向する第３の側面８及び第４の側面９とを含んでいる。第１及び第２の側面６，７は、第１及び第２の主面４，５間を連結するように第１及び第２の主面４，５の短辺方向に伸びている。第３及び第４の側面８，９は、第１及び第２の側面６，７間を連結するように第１及び第２の主面４，５の長辺方向に伸びている。なお図１に示す積層体１は、バレル研磨処理により稜線部が面取りされたものである。
【００４５】
積層体１の第１の側面６には、外部電極として第１の端子電極１０が配置されている。第１の端子電極１０は、第１の側面６を覆うように、第１及び第２の主面４，５並びに第３及び第４の側面８，９にわたって形成されている。積層体１の第２の側面７には、外部電極として第２の端子電極１１が配置されている。第２の端子電極１１は、第２の側面７を覆うように第１及び第２の主面４，５並びに第３及び第４の側面８，９にわたって形成されている。第１の端子電極１０と第２の端子電極１１とは、互いに絶縁されている。
【００４６】
積層体１の第３の側面８には、外部電極として第１の連結用電極１２が配置されている。第１の連結用電極１２は短冊状であり、一端部が第１の主面４に、他端部が第２の主面５に至るよう形成されている。積層体１の第４の側面９には、外部電極として第２の連結用電極１３が配置されている。第２の連結用電極１３は短冊状であり、一端部が第１の主面４に、他端部が第２の主面５に至るよう形成されている。第２の連結用電極１３は、第１の連結用電極１２と対向するように配されている。第１の連結用電極１２と第２の連結用電極１３とは、互いに絶縁されている。
【００４７】
第１及び第２の端子電極１０，１１及び第１及び第２の連結用電極１２，１３は、例えば、導電性金属粉末及びガラスフリットを含む導電性ペーストを積層体１の対応する外表面に付与し、焼き付けることによって形成される。なお必要に応じて、焼き付けられた電極の上にめっき層が形成されることもある。
【００４８】
積層体１は、図２，３に示されるように、複数（本実施形態では少なくとも９層）の絶縁体層２０と、複数の内部電極とが交互に積層されることにより構成される。積層体１は複数の内部電極として、第１の内部電極２１、第２の内部電極２２、複数（本実施形態では３層）の第３の内部電極２３、及び複数（本実施形態では３層）の第４の内部電極２４を有している。積層体１は、第１の主面４から第２の主面５に向かって、絶縁体層２０、第２の内部電極２２、絶縁体層２０、第３の内部電極２３、絶縁体層２０、第４の内部電極２４、絶縁体層２０、第３の内部電極２３、絶縁体層２０、第４の内部電極２４、絶縁体層２０、第３の内部電極２３、絶縁体層２０、第４の内部電極２４、絶縁体層２０、第１の内部電極２１、絶縁体層２０、の順で積層したものである。したがって第１及び第２の内部電極２１，２２は、内部電極における最外層となっている。
【００４９】
絶縁体層２０は、第１及び第２の主面４，５に平行な方向に伸びている。したがって、第１〜第４の側面６〜９は絶縁体層２０の積層方向（以下、単に「積層方向」と呼ぶ）に沿った面となり、第１及び第２の主面４，５は積層方向に対向する面となる。各絶縁体層２０は、たとえば誘電体セラミックを含むセラミックグリーンシートの焼結体から構成される。実際の積層コンデンサＣ１では、各絶縁体層２０は、絶縁体層２０の間の境界が視認できない程度に一体化されている。
【００５０】
第１〜第４の内部電極２１〜２４は、例えばニッケルを主成分とする。第１の内部電極２１は、引き出し部（第１の引き出し部）２１ａと引き出し部（第２の引き出し部）２１ｂとを含んでいる。引き出し部２１ａは、第１の側面６に一端部が露出するように伸びている。図４（ａ）に示されるように、引き出し部２１ａは積層方向から見ると、中心線Ｍ１上に位置している。第１及び第２の主面４，５の一方の短辺の中心と第１及び第２の主面４，５の他方の短辺の中心とを結んだ線である。
【００５１】
より具体的には、引き出し部２１ａは積層方向から見ると、積層体１の中心部から第１の側面６に向かい、且つ第１及び第２の主面４，５の長辺方向に沿って伸びている。第１の側面６で露出した引き出し部２１ａの一端部は、第１の端子電極１０と電気的且つ機械的に接続されている。
【００５２】
引き出し部２１ｂは、第３の側面８に一端部が露出するように伸びている。引き出し部２１ｂは積層方向から見ると、中心部から第３の側面８に向かい、且つ第１及び第２の主面４，５の短辺方向に沿って伸びている。第３の側面８で露出した引き出し部２１ｂの一端部は、第１の連結用電極１２と電気的且つ機械的に接続されている。引き出し部２１ｂの他端部は、引き出し部２１ａの他端部と連結されている。また、引き出し部２１ａの一端部の幅Ｗ１（第１の幅）は、引き出し部２１ｂの一端部の幅Ｗ２（第２の幅）よりも狭くなっている。
【００５３】
図２に示されるように、第２の内部電極２２は、第１の内部電極２１から積層方向に間隔をあけて配されている。図３に示されるように、第２の内部電極２２は、引き出し部（第３の引き出し部）２２ａと引き出し部（第４の引き出し部）２２ｂとを含んでいる。
【００５４】
引き出し部２２ａは、第２の側面７に一端部が露出するように伸びている。図４（ｂ）に示されるように、引き出し部２１ａは積層方向から見ると、中心線Ｍ１上に位置している。
【００５５】
より具体的には、引き出し部２２ａは積層方向から見ると、積層体１の中心部から第２の側面７に向かい、且つ第１及び第２の主面４，５の長辺方向に沿って伸びている。第２の側面７で露出した引き出し部２２ａの一端部は、第２の端子電極１１と電気的且つ機械的に接続されている。
【００５６】
引き出し部２２ｂは、第４の側面９に一端部が露出するように伸びている。引き出し部２２ｂは積層方向から見ると、中心部から第４の側面９に向かい、且つ第１及び第２の主面４，５の短辺方向に沿って伸びている。第４の側面９で露出した引き出し部２２ｂの一端部は、第２の連結用電極１３と電気的且つ機械的に接続されている。引き出し部２２ｂの他端部は、引き出し部２２ａの他端部と連結されている。また、引き出し部２２ａの一端部の幅Ｗ３（第３の幅）は、引き出し部２２ｂの一端部の幅Ｗ４（第４の幅）よりも狭くなっている。
【００５７】
図２に示されるように、第３の内部電極２３は、第１の内部電極２１と第２の内部電極２２との間に配されている。第３の内部電極２３は、主電極部２３ａと引き出し部（第５の引き出し部）２３ｂとを含んでいる。
【００５８】
図３に示されるように、主電極部２３ａは、長方形状を呈しており、第１及び第２の主面４，５の長辺方向を長辺方向としている。主電極部２３ａは、長辺方向に伸びる一対の縁部１２３ａ，１２３ｂを有している。縁部１２３ａは第３の側面８側に位置し、縁部１２３ｂは第４の側面９側に位置している。
【００５９】
主電極部２３ａは、容量形成領域を含んでいる。容量形成領域は、積層方向からみたときに後述する第４の内部電極２４の主電極部２４ａと重なり合う領域である。本実施形態では、主電極部２３ａと主電極部２４ａとは全体にわたって重なり合っている。そのため、主電極部２３ａ全体が容量形成領域となる。容量形成領域すなわち主電極部２３ａは、端部１４，１５と中間部１６とからなっている。端部１４は、積層体１の第１の側面６側に位置しており、端部１５は、積層体１の第２の側面７側に位置している。中間部１６は、端部１４と端部１５との間に位置している。
【００６０】
引き出し部２３ｂは、主電極部２３ａに接続されており、主電極部２３ａからみて第３の側面８側に位置している。引き出し部２３ｂは、主電極部２３ａの縁部１２３ａから積層体１の第３の側面８に向かって伸びており、一端部が第３の側面８から露出し、他端部が主電極部２３ａの縁部１２３ａに接続されている。露出した引き出し部２３ｂの一端部は、第１の連結用電極１２と電気的且つ機械的に接続されている。引き出し部２３ｂの他端部は、第３及び第４の側面８，９の対向方向から見たときに、主電極部２３ａの中間部１６に接続されている。引き出し部２３ｂの一端部の幅Ｗ５（第５の幅）は、引き出し部２１ｂの一端部の幅Ｗ２と同一である。
【００６１】
図２，３に示されるように、第４の内部電極２４は、第１の内部電極２１と第２の内部電極２２との間に配され、絶縁体層２０を介在した状態で第３の内部電極２３と交互に積層されている。第４の内部電極２４は、主電極部２４ａと引き出し部（第７の引き出し部）２４ｂとを含んでいる。
【００６２】
主電極部２４ａは、長方形状を呈しており、第１及び第２の主面４，５の長辺方向を長辺方向としている。図５（ｂ）に示されるように、主電極部２４ａは、長辺方向に伸びる一対の縁部１２４ａ，１２４ｂを有している。縁部１２４ａは第３の側面８側に位置し、縁部１２４ｂは第４の側面９側に位置している。
【００６３】
主電極部２４ａは、容量形成領域を含んでいる。容量形成領域は、積層方向からみたときに第３の内部電極２３の主電極部２３ａと重なり合う領域である。本実施形態では、主電極部２４ａと主電極部２３ａとは全体にわたって重なり合っている。そのため、主電極部２４ａ全体が容量形成領域となる。容量形成領域すなわち主電極部２４ａは、端部１１４，１１５と中間部１１６とからなっている。端部１１４は、積層体１の第１の側面６側に位置しており、端部１１５は、積層体１の第２の側面７側に位置している。中間部１１６は、端部１１４と端部１１５との間に位置している。
【００６４】
引き出し部２４ｂは、主電極部２４ａに接続されており、主電極部２４ａからみて第４の側面９側に位置している。引き出し部２４ｂは、主電極部２４ａの縁部１２４ｂから積層体１の第４の側面９に向かって伸びており、一端部が第４の側面９から露出し、他端部が主電極部２４ａの縁部１２４ｂに接続されている。露出した引き出し部２４ｂの一端部は、第２の連結用電極１３と電気的且つ機械的に接続されている。引き出し部２４ｂの他端部は、第３及び第４の側面８，９の対向方向から見たときに、主電極部２４ａの中間部１１６に接続されている。引き出し部２４ｂの一端部の幅Ｗ６（第６の幅）は、引き出し部２２ｂの一端部の幅Ｗ４と同一である。
【００６５】
以上の構成を有する第１実施形態の積層コンデンサＣ１によれば、第１の内部電極２１は引き出し部２１ａ，２１ｂを含み、第２の内部電極２２は引き出し部２２ａ，２２ｂを含んでいる。引き出し部２１ａ，２１ｂ，２２ａ，２２ｂの一端部の幅Ｗ１〜Ｗ４は、第３及び第４の内部電極２３，２４に含まれる引き出し部２３ｂ，２４ｂの一端部の幅Ｗ５，Ｗ６以下となっている。したがって、電流経路上において該経路の幅が絞られる箇所が形成されることとなり、ＥＳＲが増加する。なお第１実施形態では、引き出し部２１ａ，２２ａの一端部の幅Ｗ１，Ｗ３は引き出し部２１ｂ，２２ｂの一端部の幅Ｗ２，Ｗ４よりも狭くなっている。このように第１及び第２の端子電極１０，１１につながる引き出し部２１ａ，２２ａをより幅狭とすることで、ＥＳＲをいっそう増加させることができる。
【００６６】
また、第３及び第４の内部電極２３，２４の主電極部２３ａ，２４ａは、積層方向から見たときに互いに重なり合っている。第３の内部電極２３において、主電極部２３ａと引き出し部２３ｂとの接続部分は、第３及び第４の側面８，９の対向方向から見たときに、主電極部２３ａの中間部１６に重なっている。第４の内部電極２４において、主電極部２４ａと引き出し部２４ｂとの接続部分は、第３及び第４の側面８，９の対向方向から見たときに、主電極部２４ａの中間部１１６に重なっている。引き出し部２３ｂと引き出し部２４ｂとは、積層方向から見ると、主電極部２３ａ，２４ａの中間部で互いに対向した状態となっている。引き出し部同士がこのような位置関係にあるため、主電極部２３ａの端部１４，１５と主電極部２４ａの端部１１４，１１５とでは、流れる電流の向きが互いに逆となる。その結果、第３の内部電極２３と第４の内部電極２４とにおいて、電流に起因して発生する磁界が一部相殺されるため、積層コンデンサＣ１のＥＳＬを低くすることができる。図３〜５中の矢印は、第１の端子電極１０を陽極とし第２の端子電極１１を陰極とした場合における電流の向きを示す。
【００６７】
更に、本発明に係る積層コンデンサＣ１では、第１及び第２の内部電極２１，２２を第３及び第４の内部電極２３，２４の外側に配している。通常、積層体１に対して外部電極を配する前にバレル研磨を行うが、バレル研磨による影響を大きく受けるのは、積層体１の稜線部である。本発明に係る積層コンデンサＣ１では、第１及び第２の内部電極２１，２２を比較的外側に設けることで、第１及び第２の内部電極２１，２２の引き出し部２１ａ，２１ｂ，２２ａ，２２ｂを積層体１の稜線に近づけている。稜線近くにある引き出し部２１ａ，２１ｂ，２２ａ，２２ｂは、バレル研磨の影響を強く受けるので、確実に露出することとなる。このように積層コンデンサＣ１によれば、引き出し部２１ａ，２１ｂ，２２ａ，２２ｂが比較的幅狭であるにもかかわらず、これらを確実に露出させることができる。そのため、第１及び第２の内部電極２１，２２と外部電極とを良好に接触させることが可能となる。
【００６８】
また、積層体１は、第１及び第２の内部電極２１，２２を１つずつ有している。第１の端子電極１０につながる内部電極及び第２の端子電極１１につながる内部電極が１つずつしか存在しないので、積層コンデンサＣ１のＥＳＲをさらに高めることができる。
【００６９】
また、本発明に係る積層コンデンサＣ１では、第１の内部電極２１の引き出し部２１ｂは積層方向から見ると、中心部から第３の側面８に向かっている。そのため図４，５に示されるように、引き出し部２１ｂと主電極部２４ａの中間部１１６とでは、電流の向きが互いに逆となる。これにより、第１の内部電極２１と第４の内部電極２４とにおいて、電流に起因して発生する磁界が一部相殺される。第２の内部電極２２の引き出し部２２ｂは積層方向から見ると、中心部から第４の側面９に向かっている。そのため、引き出し部２２ｂと主電極部２３ａの中間部１６とでは、電流の向きが互いに逆となる。これにより、第２の内部電極２２と第３の内部電極２３とにおいて、電流に起因して発生する磁界が一部相殺される。このように第１の内部電極２１と第４の内部電極２４との間、及び第２の内部電極２２と第３の内部電極２３との間でも磁界の相殺が起こるため、積層コンデンサＣ１のＥＳＬについて更なる低下を図ることができる。
【００７０】
続いて、図６に基づいて、第１実施形態の変形例について説明する。図６（ａ）は、第１実施形態の変形例に係る積層コンデンサが備える第１の内部電極を示す図であり、図６（ｂ）は、当該積層コンデンサが備える第２の内部電極を示す図である。なお、図６はバレル研磨前の状態を示している。
【００７１】
本変形例に係る積層コンデンサは、その図示を省略するが、第１実施形態に係る積層コンデンサＣ１と同じく、積層体１と、積層体１の外表面に配置された第１の端子電極１０及び第２の端子電極１１と、積層体１の外表面に配置された第１の連結用電極１２及び第２の連結用電極１３とを有している。本変形例に係る積層コンデンサでは、第１及び第２の内部電極２１，２２の形状が、第１実施形態におけるそれと異なっている。以下、第１及び第２の内部電極２１，２２の形状について詳細に説明する。
【００７２】
本変形例の第１の内部電極２１は、２つの引き出し部２１ａ，２１ｂからなっている。引き出し部２１ｂは図６（ａ）に示されるように、一端部と他端部２１ｃとを含んでいる。引き出し部２１ｂの一端部は、第３の側面８から露出している。引き出し部２１ｂの一端部の幅Ｗ２は、引き出し部２３ｂの一端部の幅Ｗ５と同一である。他端部２１ｃの幅は、引き出し部２１ｂの一端部の幅Ｗ２よりも大きくなっている。他端部２１ｃは、第４の内部電極２４の主電極部２４ａと積層方向において対向している。より具体的には、他端部２１ｃは積層方向から見たときに、主電極部２４ａの中間部１１６及び端部１１５と重なり合っている。引き出し部２１ａは中心線Ｍ１上に位置しており、一端部が第１の側面６から露出し、他端部が引き出し部２１ｂの他端部２１ｃに接続されている。引き出し部２１ａの一端部の幅Ｗ１は、引き出し部２１ｂの一端部の幅Ｗ２よりも狭くなっている。
【００７３】
本変形例の第２の内部電極２２は、２つの引き出し部２２ａ，２２ｂからなっている。引き出し部２２ｂは図６（ｂ）に示されるように、一端部と他端部２２ｃとを含んでいる。引き出し部２２ｂの一端部は、第４の側面９から露出している。引き出し部２２ｂの一端部の幅Ｗ４は、引き出し部２４ｂの一端部の幅Ｗ６と同一である。他端部２２ｃの幅は、引き出し部２２ｂの一端部の幅Ｗ４よりも大きくなっている。他端部２２ｃは、第３の内部電極２３の主電極部２３ａと積層方向において対向している。より具体的には、他端部２２ｃは積層方向から見たときに、主電極部２３ａの中間部１６及び端部１４と重なり合っている。引き出し部２２ａは中心線Ｍ１上に位置しており、一端部が第２の側面７から露出し、他端部が引き出し部２２ｂの他端部２２ｃに接続されている。引き出し部２２ａの一端部の幅Ｗ３は、引き出し部２２ｂの一端部の幅Ｗ４よりも狭くなっている。
【００７４】
このような積層コンデンサでも、第１実施形態の積層コンデンサＣ１と同様の理由により、内部電極と端子電極との良好な接触性を確保した上で、ＥＳＬの増加を抑えつつ、ＥＳＲを大きくすることが可能となる。また、第１の内部電極２１の他端部２１ｃと第４の内部電極２４の主電極部２４ａとで静電容量を形成し、第２の内部電極２２の他端部２２ｃと第３の内部電極２３の主電極部２３ａとで静電容量を形成するので、積層コンデンサの静電容量値を増やすことができる。
【００７５】
図７に基づいて、第１実施形態の他の変形例について説明する。図７（ａ）は、第１実施形態の他の変形例に係る積層コンデンサが備える第１の内部電極を示す図であり、図７（ｂ）は、当該積層コンデンサが備える第２の内部電極を示す図である。なお、図７はバレル研磨前の状態を示している。
【００７６】
本変形例に係る積層コンデンサは、その図示を省略するが、第１実施形態に係る積層コンデンサＣ１と同じく、積層体１と、積層体１の外表面に配置された第１の端子電極１０及び第２の端子電極１１と、積層体１の外表面に配置された第１の連結用電極１２及び第２の連結用電極１３とを有している。本変形例に係る積層コンデンサでは、第１及び第２の内部電極２１，２２の幅が、第１実施形態におけるそれと異なっている。以下、第１及び第２の内部電極２１，２２の幅について詳細に説明する。
【００７７】
図７（ａ）に示されるように、本変形例の第１の内部電極２１は、２つの引き出し部２１ａ，２１ｂからなっている。積層方向から見ると、引き出し部２１ａは中心線Ｍ１上に位置しており、中心部から第１の側面６に向かって伸びている。引き出し部２１ｂは、中心部から第３の側面８に向かい、且つ第１及び第２の主面４，５の短辺方向に沿って伸びている。引き出し部２１ａの一端部の幅Ｗ１は引き出し部２１ｂの一端部の幅Ｗ２よりも広くなっている。ただし、引き出し部２１ａの一端部の幅Ｗ１は引き出し部２３ｂの一端部の幅Ｗ５と同一またはそれ以下である。
【００７８】
図７（ｂ）に示されるように、本変形例の第２の内部電極２２は、２つの引き出し部２２ａ，２２ｂからなっている。積層方向から見ると、引き出し部２２ａは中心線Ｍ１上に位置しており、中心部から第２の側面７に向かって伸びている。引き出し部２２ｂは、中心部から第４の側面９に向かい、且つ第１及び第２の主面４，５の短辺方向に沿って伸びている。引き出し部２２ａの一端部の幅Ｗ３は引き出し部２２ｂの一端部の幅Ｗ４よりも広くなっている。ただし、引き出し部２２ａの一端部の幅Ｗ３は引き出し部２４ｂの一端部の幅Ｗ６と同一またはそれ以下である。
【００７９】
このような積層コンデンサでも、引き出し部２１ａ，２１ｂ，２２ａ，２２ｂの一端部の幅Ｗ１〜Ｗ４が第３及び第４の内部電極２３，２４に含まれる引き出し部２３ｂ，２４ｂの一端部の幅Ｗ５，Ｗ６以下であるため、電流経路上において該経路の幅が絞られる箇所が形成されることとなり、ＥＳＲが増加する。また、第１実施形態の積層コンデンサＣ１と同様の理由により、内部電極と端子電極との良好な接触性を確保した上で、ＥＳＬの増加を抑えることが可能となる。
【００８０】
続いて、図８に基づいて、第１実施形態の他の変形例について説明する。図８（ａ）は、第１実施形態の他の変形例に係る積層コンデンサが備える第１の内部電極を示す図であり、図８（ｂ）は、当該積層コンデンサが備える第２の内部電極を示す図である。なお、図８はバレル研磨前の状態を示している。
【００８１】
本変形例に係る積層コンデンサは、その図示を省略するが、第１実施形態に係る積層コンデンサＣ１と同じく、積層体１と、積層体１の外表面に配置された第１の端子電極１０及び第２の端子電極１１と、積層体１の外表面に配置された第１の連結用電極１２及び第２の連結用電極１３とを有している。本変形例に係る積層コンデンサでは、第１及び第２の内部電極２１，２２の形状が、第１実施形態におけるそれと異なっている。以下、第１及び第２の内部電極２１，２２の形状について詳細に説明する。
【００８２】
図８（ａ）に示されるように、本変形例の第１の内部電極２１は、２つの引き出し部２１ａ，２１ｂのほかに連結部２１ｄを含んでいる。連結部２１ｄは蛇行形状を呈している。引き出し部２１ａは連結部２１ｄの一端に接続されている。引き出し部２１ａは中心線Ｍ１上に位置しており、第１の側面６に向かって伸びている。引き出し部２１ｂは、連結部２１ｄの他端に接続され、第３の側面８に向かって伸びている。引き出し部２１ａの一端部の幅Ｗ１、引き出し部２１ｂの一端部の幅Ｗ２、及び連結部２１ｄの幅は同一であり、またこれらの幅は引き出し部２３ｂの一端部の幅Ｗ５よりも狭くなっている。
【００８３】
図８（ｂ）に示されるように、本変形例の第２の内部電極２２は、２つの引き出し部２２ａ，２２ｂのほかに連結部２２ｄを含んでいる。連結部２２ｄは蛇行形状を呈している。引き出し部２２ａは連結部２２ｄの一端に接続されている。引き出し部２２ａは中心線Ｍ１上に位置しており、第２の側面７に向かって伸びている。引き出し部２２ｂは、連結部２２ｄの他端に接続され、第４の側面９に向かって伸びている。引き出し部２２ａの一端部の幅Ｗ３、引き出し部２２ｂの一端部の幅Ｗ４、及び連結部２２ｄの幅は同一であり、またこれらの幅は引き出し部２４ｂの一端部の幅Ｗ６よりも狭くなっている。
【００８４】
このような積層コンデンサでも、引き出し部２１ａ，２１ｂ，２２ａ，２２ｂの一端部の幅Ｗ１〜Ｗ４が第３及び第４の内部電極２３，２４に含まれる引き出し部２３ｂ，２４ｂの一端部の幅Ｗ５，Ｗ６以下であるため、電流経路上において該経路の幅が絞られる箇所が形成されることとなり、ＥＳＲが増加する。更に蛇行形状の連結部２１ｄ，２２ｄを含むため、電流経路が長くなり、ＥＳＲをより増加させることができる。また、第１実施形態の積層コンデンサＣ１と同様の理由により、内部電極と端子電極との良好な接触性を確保した上で、ＥＳＬの増加を抑えることが可能となる。
【００８５】
続いて、図９に基づいて、第１実施形態の他の変形例について説明する。図９（ａ）は、第１実施形態の他の変形例に係る積層コンデンサが備える第１の内部電極を示す図であり、図９（ｂ）は、当該積層コンデンサが備える第２の内部電極を示す図である。なお、図９はバレル研磨前の状態を示している。
【００８６】
本変形例に係る積層コンデンサは、その図示を省略するが、第１実施形態に係る積層コンデンサＣ１と同じく、積層体１と、積層体１の外表面に配置された第１の端子電極１０及び第２の端子電極１１と、積層体１の外表面に配置された第１の連結用電極１２及び第２の連結用電極１３とを有している。本変形例に係る積層コンデンサでは、第１及び第２の内部電極２１，２２の位置が、第１実施形態におけるそれと異なっている。以下、第１及び第２の内部電極２１，２２の位置について詳細に説明する。
【００８７】
図９（ａ）に示されるように、本変形例の第１の内部電極２１は、２つの引き出し部２１ａ，２１ｂからなっている。積層方向から見ると、引き出し部２１ａの一端部は、第１の側面６において第４の側面９寄りの位置から露出している。より具体的には、引き出し部２１ａは積層方向から見ると、第４の側面９側に位置する第１及び第２の主面４，５の長辺と中心線Ｍ１との間を、第１及び第２の主面４，５の長辺方向に沿って伸びている。引き出し部２１ｂは引き出し部２１ａに連結され、第１及び第２の主面４，５の短辺方向に沿って伸びている。引き出し部２１ａの一端部の幅Ｗ１は引き出し部２１ｂの一端部の幅Ｗ２よりも狭くなっており、引き出し部２１ｂの一端部の幅Ｗ２は引き出し部２３ｂの一端部の幅Ｗ５と同一である。
【００８８】
図９（ｂ）に示されるように、本変形例の第２の内部電極２２は、２つの引き出し部２２ａ，２２ｂからなっている。積層方向から見ると、引き出し部２２ａの一端部は、第２の側面７において第３の側面８寄りの位置から露出している。より具体的には、引き出し部２２ａは積層方向から見ると、第３の側面８側に位置する第１及び第２の主面４，５の長辺と中心線Ｍ１との間を、第１及び第２の主面４，５の長辺方向に沿って伸びている。引き出し部２２ｂは引き出し部２２ａに連結され、第１及び第２の主面４，５の短辺方向に沿って伸びている。引き出し部２２ａの一端部の幅Ｗ３は引き出し部２２ｂの一端部の幅Ｗ４よりも狭くなっており、引き出し部２２ｂの一端部の幅Ｗ４は引き出し部２４ｂの一端部の幅Ｗ６と同一である。
【００８９】
このような第１及び第２の内部電極２１，２２を有する積層コンデンサでも、電流経路上において該経路の幅が絞られる箇所が形成されるため、ＥＳＲが増加する。第１及び第２の端子電極１０，１１につながる引き出し部２１ａ，２２ａをより幅狭としているので、ＥＳＲをいっそう増加させることができる。また、第１実施形態の積層コンデンサＣ１と同様の理由により、ＥＳＬの増加を抑えることが可能となる。
【００９０】
積層方向から見たときに、引き出し部２１ａの一端部は第４の側面９寄りに位置し、引き出し部２２ａの一端部は第３の側面８寄りに位置している。そのため、引き出し部２１ａの一端部は第１及び第４の側面６，９で形成される稜線近くに位置し、引き出し部２２ａの一端部は第２及び第３の側面７，８で形成される稜線近くに位置することとなる。このように本変形例に係る積層コンデンサでは、引き出し部２１ａ，２２ａの一端部が稜線近くに位置するため、バレル研磨時にこれらを確実に露出させることができる。その結果、第１及び第２の内部電極２１，２２と第１及び第２の端子電極１０，１１とを良好に接触させることが可能となる。
【００９１】
なお、本変形例に示される第１及び第２の内部電極２１，２２は、内部電極における最外層でなくてもよい。本変形例の第１及び第２の内部電極２１，２２では、引き出し部２１ａ，２２ａの位置が中心線Ｍ１からずれている。したがって、たとえ第１及び第２の内部電極２１，２２が積層方向における中間に位置したとしても、引き出し部２１ａの一端部は常に第１及び第４の側面６，９で形成される稜線近くに位置し、引き出し部２２ａの一端部は常に第２及び第３の側面７，８で形成される稜線近くに位置することになる。よって、第１及び第２の内部電極２１，２２の積層方向における位置によらず、第１及び第２の内部電極２１，２２と第１及び第２の端子電極１０，１１との接触を良好なものにできる。
【００９２】
また、引き出し部２１ａの一端部は第３の側面８寄りに位置するとしてもよい。ただし、本実施例のように引き出し部２１ａの一端部を第４の側面９寄りに位置させたほうが、引き出し部２１ａ，２１ｂの合計長さが長くなるためＥＳＲが大きくなる。同様に、引き出し部２２ａの一端部は第４の側面９寄りに位置するとしてもよいが、本実施例のようにしたほうがＥＳＲは大きくなる。
【００９３】
続いて、図１０に基づいて、第１実施形態の他の変形例について説明する。図１０（ａ）は、第１実施形態の他の変形例に係る積層コンデンサが備える第１の内部電極を示す図であり、図１０（ｂ）は、当該積層コンデンサが備える第２の内部電極を示す図である。なお、図１０はバレル研磨前の状態を示している。
【００９４】
本変形例に係る積層コンデンサは、その図示を省略するが、第１実施形態に係る積層コンデンサＣ１と同じく、積層体１と、積層体１の外表面に配置された第１の端子電極１０及び第２の端子電極１１と、積層体１の外表面に配置された第１の連結用電極１２及び第２の連結用電極１３とを有している。本変形例に係る積層コンデンサでは、第１及び第２の内部電極２１，２２の形状が、第１実施形態におけるそれと異なっている。以下、第１及び第２の内部電極２１，２２の形状について詳細に説明する。
【００９５】
本変形例の第１の内部電極２１は、２つの引き出し部２１ａ，２１ｂからなっている。
引き出し部２１ｂは図１０（ａ）に示されるように、一端部と他端部２１ｃとを含んでいる。引き出し部２１ｂの一端部は、第３の側面８から露出している。引き出し部２１ｂの一端部の幅Ｗ２は、引き出し部２３ｂの一端部の幅Ｗ５と同一である。他端部２１ｃの幅は、引き出し部２１ｂの一端部の幅Ｗ２よりも大きくなっている。他端部２１ｃは、第４の内部電極２４の主電極部２４ａと積層方向において対向している。より具体的には、他端部２１ｃは積層方向から見たときに、主電極部２４ａの中間部１１６及び端部１１５と重なり合っている。引き出し部２１ａは、第４の側面９側に位置する第１及び第２の主面４，５の長辺と中心線Ｍ１との間を、第１及び第２の主面４，５の長辺方向に沿って伸びている。引き出し部２１ａの一端部は第１の側面６から露出し、他端部は引き出し部２１ｂの他端部２１ｃに接続されている。引き出し部２１ａの一端部の幅Ｗ１は引き出し部２１ｂの一端部の幅Ｗ２よりも狭くなっている。
【００９６】
本変形例の第２の内部電極２２は、２つの引き出し部２２ａ，２２ｂからなっている。引き出し部２２ｂは図１０（ｂ）に示されるように、一端部と他端部２２ｃとを含んでいる。引き出し部２２ｂの一端部は、第４の側面９から露出している。引き出し部２２ｂの一端部の幅Ｗ４は、引き出し部２４ｂの一端部の幅Ｗ６と同一である。他端部２２ｃの幅は、引き出し部２２ｂの一端部の幅Ｗ４よりも大きくなっている。他端部２２ｃは、第３の内部電極２３の主電極部２３ａと積層方向において対向している。より具体的には、他端部２２ｃは積層方向から見たときに、主電極部２３ａの中間部１６及び端部１４と重なり合っている。引き出し部２２ａは、第３の側面８側に位置する第１及び第２の主面４，５の長辺と中心線Ｍ１との間を、第１及び第２の主面４，５の長辺方向に沿って伸びている。引き出し部２２ａの一端部は第２の側面７から露出し、他端部は引き出し部２２ｂの他端部２２ｃに接続されている。引き出し部２２ａの一端部の幅Ｗ３は、引き出し部２２ｂの一端部の幅Ｗ４よりも狭くなっている。
【００９７】
このような積層コンデンサでも、第１実施形態の積層コンデンサＣ１と同様の理由により、内部電極と端子電極との良好な接触性を確保した上で、ＥＳＬの増加を抑えつつ、ＥＳＲを大きくすることが可能となる。また、他端部２１ｃと主電極部２４ａとで静電容量を形成し、他端部２２ｃと主電極部２３ａとで静電容量を形成するので、積層コンデンサの静電容量値を増やすことができる。更に、引き出し部２１ａ，２２ａの一端部が中央線Ｍ１からずれたところに位置するため、これらをバレル研磨時に確実に露出させることができ、内部電極と端子電極との良好な接触性をより確保することが可能となる。
【００９８】
続いて、図１１に基づいて、第１実施形態の他の変形例について説明する。図１１（ａ）は、第１実施形態の他の変形例に係る積層コンデンサが備える第１の内部電極を示す図であり、図１１（ｂ）は、当該積層コンデンサが備える第２の内部電極を示す図である。なお、図１１はバレル研磨前の状態を示している。
【００９９】
本変形例に係る積層コンデンサは、その図示を省略するが、第１実施形態に係る積層コンデンサＣ１と同じく、積層体１と、積層体１の外表面に配置された第１の端子電極１０及び第２の端子電極１１と、積層体１の外表面に配置された第１の連結用電極１２及び第２の連結用電極１３とを有している。本変形例に係る積層コンデンサでは、第１及び第２の内部電極２１，２２の形状が、第１実施形態におけるそれと異なっている。以下、第１及び第２の内部電極２１，２２の形状について詳細に説明する。
【０１００】
図１１（ａ）に示されるように、本変形例の第１の内部電極２１は、３つの引き出し部２１ａ，２１ｂ，２１ｅからなっている。引き出し部２１ａは、第４の側面９側に位置する第１及び第２の主面４，５の長辺と中心線Ｍ１との間を、第１及び第２の主面４，５の長辺方向に沿って伸びている。引き出し部２１ｂは、第１及び第２の主面４，５の短辺方向に沿って伸びている。引き出し部（第７の引き出し部）２１ｅは、第３の側面８側に位置する第１及び第２の主面４，５の長辺と中心線Ｍ１との間を、第１及び第２の主面４，５の長辺方向に沿って伸びている。引き出し部２１ｅの一端部は第１の側面６から露出しており、他端部は引き出し部２１ｂに接続されている。
【０１０１】
引き出し部２１ａの一端部の幅Ｗ１及び引き出し部２１ｅの一端部の幅Ｗ７（第７の幅）は引き出し部２１ｂの一端部の幅Ｗ２よりも狭くなっており、引き出し部２１ｂの一端部の幅Ｗ２は引き出し部２３ｂの一端部の幅Ｗ５と同一である。
【０１０２】
図１１（ｂ）に示されるように、本変形例の第２の内部電極２２は、３つの引き出し部２２ａ，２２ｂ，２２からなっている。引き出し部２２ａは、第３の側面８側に位置する第１及び第２の主面４，５の長辺と中心線Ｍ１との間を、第１及び第２の主面４，５の長辺方向に沿って伸びている。引き出し部２２ｂは、第１及び第２の主面４，５の短辺方向に沿って伸びている。引き出し部（第８の引き出し部）２２ｅは、第４の側面９側に位置する第１及び第２の主面４，５の長辺と中心線Ｍ１との間を、第１及び第２の主面４，５の長辺方向に沿って伸びている。引き出し部２２ｅの一端部は第２の側面７から露出しており、他端部は引き出し部２２ｂに接続されている。
【０１０３】
引き出し部２２ａの一端部の幅Ｗ２及び引き出し部２２ｅの一端部の幅Ｗ８（第８の幅）は引き出し部２２ｂの一端部の幅Ｗ４よりも狭くなっており、引き出し部２２ｂの一端部の幅Ｗ４は引き出し部２３ｂの一端部の幅Ｗ６と同一である。
【０１０４】
このような積層コンデンサでも、第１実施形態の積層コンデンサＣ１と同様の理由により、ＥＳＬの増加を抑えつつ、ＥＳＲを大きくすることが可能となる。また、引き出し部２１ａ，２１ｅ，２２ａ，２２の一端部が中央線Ｍ１からずれたところに位置するため、これらをバレル研磨時に確実に露出させることができ、内部電極と端子電極との良好な接触性を確保することが可能となる。更に、第１の内部電極２１の２つの引き出し部２１ａ，２１ｅが第１の端子電極１０に接続され、第２の内部電極２２の２つの引き出し部２２ａ，２２が第２の端子電極１１に接続される。そのため、第１及び第２の内部電極２１，２２と第１及び第２の端子電極１０，１１とをいっそう良好に接触させることができる。
【０１０５】
なお、引き出し部２１ａ，２１ｅの一端部の幅Ｗ１，Ｗ７は、第１実施形態に示される引き出し部２１ａの一端部の幅Ｗ１の半分程度であることが好ましい。同様に、引き出し部２２ａ，２２ｅの一端部の幅Ｗ２，Ｗ８は、第１実施形態に示される引き出し部２２ａの一端部の幅Ｗ２の半分程度であることが好ましい。
（第２実施形態）
【０１０６】
図１２は、第２実施形態に係る積層コンデンサの断面図である。第２実施形態に係る積層コンデンサＣ２は、第１実施形態に係る積層コンデンサＣ１と同じく、積層体１と、積層体１の外表面に配置された第１の端子電極１０及び第２の端子電極１１と、積層体１の外表面に配置された第１の連結用電極１２及び第２の連結用電極１３とを有している。積層コンデンサＣ２は、第１実施形態に係る積層コンデンサＣ１と概ね同じ構成を有しているが、第３及び第４の内部電極２３，２４が各２層となっている点で積層コンデンサＣ１と異なっている。
【０１０７】
図１２に示されるように、積層コンデンサＣ２では、第１の内部電極２１と、絶縁体層２０を介在した状態で第１の内部電極２１と隣り合う第４の内部電極２４との間の距離Ｌ１は、第３の内部電極２３と、絶縁体層２０を介在した状態で第３の内部電極２３と隣り合う第４の内部電極２４との間の距離Ｌ２よりも、長くなっている。また、第２の内部電極２２と、絶縁体層２０を介在した状態で第２の内部電極２２と隣り合う第３の内部電極２３との間の距離Ｌ３は、第３の内部電極２３と、絶縁体層２０を介在した状態で第３の内部電極２３と隣り合う第４の内部電極２４との間の距離Ｌ２よりも、長くなっている。
【０１０８】
より具体的に述べると、第１の内部電極２１と第１の内部電極２１に最も近い位置にある第４の内部電極２４との間には、絶縁体層２０がＬ１の厚さで積層されている。第４の内部電極２４と第４の内部電極２４に最も近い位置にある第３の内部電極２３との間には、絶縁体層２０がＬ２の厚さで積層されている。第２の内部電極２２と第２の内部電極２２に最も近い位置にある第３の内部電極２３との間には、絶縁体層２０がＬ３の厚さで積層されている。Ｌ１，Ｌ３は、Ｌ２よりも大きな値を有している。
【０１０９】
このような積層コンデンサＣ２では、第１の内部電極２１と第４の内部電極２４との間、及び第２の内部電極２２と第３の内部電極２３との距離が広がる。よって、第１及び第２の内部電極２１，２２は、積層体１においてさらに外側の層に位置することになる。第１の内部電極２１の引き出し部２１ａは、第２の主面５及び第１の側面６で形成される稜線にいっそう近づき、引き出し部２１ｂは、第２の主面５及び第３の側面８で形成される稜線にいっそう近づく。第２の内部電極２２の引き出し部２２ａは、第２の主面５及び第２の側面７で形成される稜線にいっそう近づき、引き出し部２２ｂは、第２の主面５及び第４の側面９で形成される稜線にいっそう近づく。したがって、バレル研磨によって引き出し部２１ａ，２１ｂ，２２ａ，２２ｂをより確実に露出させることができ、引き出し部２１ａ，２２ａと第１及び第２の端子電極１０，１１との接触性を更に向上できる。引き出し部２１ａ，２２ａの一端部の幅Ｗ１，Ｗ３を狭くすると、第１及び第２の内部電極２１，２２の抵抗値が増大しリップルによる熱が発生してしまうことが懸念されるが、第１及び第２の内部電極２１，２２と第３及び第４の内部電極２３，２４との間に絶縁体層２０によるギャップが形成されるので、第１及び第２の内部電極２１，２２の放熱性を高めることができる。これにより、第１及び第２の内部電極２１，２２の発熱により積層コンデンサ２が高温状態となることを防止できる。
【０１１０】
なお、積層コンデンサＣ２では、第１及び第２の内部電極２１，２２として図４，６〜１１に示されるものを用いることができる。
【０１１１】
以上、本発明の好適な実施形態について説明してきたが、本発明は必ずしも上述した実施形態に限定されるものではなく、その要旨が逸脱しない範囲で様々な変更が可能である。
【０１１２】
例えば、上記実施形態では、積層体は直方体状であるとしたが、積層体の形状はこれに限られない。また、第１及び第２の主電極は長方形状であるとしたが、第１及び第２の主電極の形状はこれに限られない。
【０１１３】
また、上記実施形態では、第３の内部電極２３の主電極部２３ａと第４の内部電極２４の主電極部２４ａとは全体にわたって重なり合うとしたが、一部が重なり合うとしてもよい。
【０１１４】
また、第１の実施形態では、引き出し部２１ａ，２２ａの一端部の幅Ｗ１，Ｗ３は引き出し部２１ｂ，２２ｂの一端部の幅Ｗ２，Ｗ４よりも狭いとしたが、引き出し部２１ａ，２２ａの一端部の幅Ｗ１，Ｗ３は引き出し部２１ｂ，２２ｂの一端部の幅Ｗ２，Ｗ４と同一であるとしてもよい。ただし、引き出し部２１ａ，２１ｂ，２２ａ，２２ｂの一端部の幅Ｗ１〜Ｗ４は、引き出し部２３ｂ，２４ｂの一端部の幅Ｗ５，Ｗ６以下であるとする。
【図面の簡単な説明】
【０１１５】
【図１】第１実施形態に係る積層コンデンサの斜視図である。
【図２】第１実施形態に係る積層コンデンサの断面図である。
【図３】第１実施形態に係る積層コンデンサが備える積層体の分解斜視図である。
【図４】第１実施形態に係る積層コンデンサが備える第１及び第２の内部電極を示す図である。
【図５】第１実施形態に係る積層コンデンサが備える第３及び第４の内部電極を示す図である。
【図６】第１実施形態の変形例に係る積層コンデンサが備える第１及び第２の内部電極を示す図である。
【図７】第１実施形態の変形例に係る積層コンデンサが備える第１及び第２の内部電極を示す図である。
【図８】第１実施形態の変形例に係る積層コンデンサが備える第１及び第２の内部電極を示す図である。
【図９】第１実施形態の変形例に係る積層コンデンサが備える第１及び第２の内部電極を示す図である。
【図１０】第１実施形態の変形例に係る積層コンデンサが備える第１及び第２の内部電極を示す図である。
【図１１】第１実施形態の変形例に係る積層コンデンサが備える第１及び第２の内部電極を示す図である。
【図１２】第２実施形態に係る積層コンデンサの断面図である。
【符号の説明】
【０１１６】
Ｃ１，Ｃ２…積層コンデンサ、１…積層体、４…第１の主面、５…第２の主面、６…第１の側面、７…第２の側面、８…第３の側面、９…第４の側面、１０…第１の端子電極、１１…第２の端子電極、１２…第１の連結用電極、１３…第２の連結用電極、２０…絶縁体層、２１…第１の内部電極、２２…第２の内部電極、２３…第３の内部電極、２４…第４の内部電極、２１ａ…引き出し部（第１の引き出し部）、２１ｂ…引き出し部（第２の引き出し部）、２２ａ…引き出し部（第３の引き出し部）、２２ｂ…引き出し部（第４の引き出し部）、２３ｂ…引き出し部（第５の引き出し部）、２４ｂ…引き出し部（第６の引き出し部）、２１ｅ…引き出し部（第７の引き出し部）、２２ｅ…引き出し部（第８の引き出し部）、２３ａ，２４ａ…主電極部。
【図１】
0004645637.tif 000002
【図２】
0004645637.tif 000003
【図３】
0004645637.tif 000004
【図４】
0004645637.tif 000005
【図５】
0004645637.tif 000006
【図６】
0004645637.tif 000007
【図７】
0004645637.tif 000008
【図８】
0004645637.tif 000009
【図９】
0004645637.tif 000010
【図１０】
0004645637.tif 000011
【図１１】
0004645637.tif 000012
【図１２】
0004645637.tif 000013